(57)【要約】【課題】本発明は、従来方法の考え方を根本的に変え、筋肉を殆ど振動させず、骨だけを小さくかつゆっくりと振動させることによって、全身の緊張を緩めることができる弛緩方法と弛緩器を提供することを目的とする。【解決手段】本発明は、所定の凾体１の蓋板２に突出した２個の作動杆１２，１２の球部１５，１５に高低を設け、手の母指丘は高い球部に，その小指丘は低い球部にそれぞれ当接した状態下で、前記作動杆を前後方向に作動して各球部により前記母指丘及び小指丘を振動せしめるようする方法である。また、所定の凾体の蓋板に突出した２個の作動杆の球部に高低を設け、足の母指丘は低い球部に，その小指丘は高い球部にそれぞれ当接した状態下で、前記作動杆を前後方向に作動して各球部により前記母指丘及び小指丘を振動せしめるようにする方法である。【選択図】　　図２
2004033612.tif 000002
【特許請求の範囲】
【請求項１】
所定の凾体の蓋板に突出した２個の作動杆の球部に高低を設け、手の母指丘は高い球部にその小指丘は低い球部にそれぞれ当接した状態下で前記作動杆を前後方向に作動して各球部により前記母指丘及び小指丘を振動せしめるようにすることを特徴とする緊張弛緩法。
【請求項２】
所定の凾体の蓋板に突出した２個の作動杆の球部に高低を設け、足の母指丘は低い球部にその小指丘は高い球部にそれぞれ当接した状態下で前記作動杆を前後方向に作動して各球部により前記母指丘及び小指丘を振動せしめるようにすることを特徴とする緊張弛緩法。
【請求項３】
凾体の蓋板に設けた２個の通孔に突出する作動杆に球部を設け、モータ回転軸からの伝動機構を介して前記作動杆及び球部を前後に作動し、前記球部は当接する母指丘及び小指丘に対し前後約３〜５ｍｍ位の振巾をもって振動するように成る緊張弛緩器。
【発明の詳細な説明】
【０００１】
【発明の属する技術分野】
本発明は、各種の原因によって肉体に与えられた緊張を緩める緊張弛緩法及び緊張弛緩器に関するものである。
【０００２】
【従来の技術】
従来、筋肉の緊張を緩める方法として、筋肉を押したり揉んだりマッサージすることが一般的であるが、このような方法では筋肉の緊張を取り去ることができないことは現実に証明されている。けだし、筋肉を刺激することは血管の充血または内出血を起してしまい、後で揉み返しが起こるからである。また、筋肉を振動させるバイブレーターも、振動が高速すぎるために、局所的で全身には波及せず、身体の一部に与えた振動によっては全身の筋肉が弛緩状態に及ぶことはない。
【０００３】
【発明が解決しようとする課題】
そこで、外部から筋肉に対して刺激を与えるのではなく、骨を軽微に振動させると、骨の周囲の組織から順次緊張が緩むことを、本発明者は臨床経験によって発見した。そして、この振動は手又は足から与えられ、あたかも池に石を投げたときに波紋が静かに全体に伝達するように、振動が全身の骨から骨へと伝達するようになるのである。
【０００４】
骨を軽微に振動させると、骨の周囲の組織から順次に緊張が緩んでくるのは、電子レンジが外部から加熱しなくても、高速振動によって食品が温まることと同じ原理であるが、筋肉に直接刺激を与えることは、食品を火にかけて温めると、食品の芯部まで火が通らないのと同じことになり、効果的ではない。
【０００５】
また、ボディソニックは、骨を振動させることを目的としてはいるが、全身を同時に振動させるため、１箇所に与えた波動が全体に伝導されるものではない。
【０００６】
また、バイブレータは振動が高速すぎるため、刺激は局所的になり、全体に伝導されることはない。
【０００７】
本発明は、従来方法の考え方を根本的に変え、筋肉を殆ど振動させず、骨だけを小さくかつゆっくりと振動させることによって、全身の緊張を緩めることができる弛緩方法と弛緩器を提供することを目的とするものである。
【０００８】
【課題を解決するための手段】
本発明は、所定の凾体の蓋板に突出した２個の作動杆の球部に高低を設け、手の母指丘は高い球部に，その小指丘は低い球部にそれぞれ当接した状態下で、前記作動杆を前後方向に作動して各球部により前記母指丘及び小指丘を振動せしめるようする方法である。
【０００９】
また、所定の凾体の蓋板に突出した２個の作動杆の球部に高低を設け、足の母指丘は低い球部に，その小指丘は高い球部にそれぞれ当接した状態下で、前記作動杆を前後方向に作動して各球部により前記母指丘及び小指丘を振動せしめるようにする方法である。
【００１０】
【発明の実施の形態】
手を載せる場合について説明する。
【００１１】
まず、手の母指丘と小指丘を、本器凾体の蓋板に突出している作動杆上の球部にそれぞれ当接するが、母指丘は高い球部に，小指丘は低い球部に載せ、この状態において電源スイッチを入れる。
【００１２】
すると、モータ回転軸と偏心軸との回転によって、偏心軸との枢着部を支点に伝動板の他側部は前後に作動するから、伝動板の他側部との枢着部を支点に、垂直杆の下側部は前後に作動するとともに垂直杆上端の水平杆を前後に振動し、水平杆と一体に成る前記作動杆を前後に作動するから、２つの球部は母指丘と小指丘に対して前後方向に一定の振巾を与えてゆっくりと振動するようになる。この振動は、腕から首までの骨に伝達して、首、肩、腕の緊張を緩ませるようになる。
【００１３】
この場合、本器上に載置する手は、高い順に、手指→母指丘→小指丘になる。この高低差は、腕の一般的な骨格の歪みを是正するためである。
【００１４】
次に、足を載せる場合について説明する。
【００１５】
足の母指丘と小指丘を、本器凾体の蓋板に突出している作動杆上の球部にそれぞれ当接するが、母指丘は高い球部に，小指丘は低い球部に載せ、この状態において電源スイッチを入れる。
【００１６】
前記２つの球部による母指丘と小指丘に対する前後方向の一定の振巾を与える作用は、前記手の場合と同じである。
【００１７】
この場合、本器具上に載置する足は、高い順に、小指丘→母指丘→かかとになる。この高低差は、脚の一般的な骨格の歪みを是正するためである。
【００１８】
手又は足に当接する作動杆上の球部の前後運動は約３〜５ｍｍの範囲であり、１秒間に２〜３回の振巾で行われる。
【実施例】
【００１９】
本発明に係る方法を実施するため機器例を、手の場合と足の場合とに分けて図面について説明する。
【００２０】
１は所定大きさに成る凾体で、この凾体の上面部には傾斜面に成る蓋板２を設ける。
【００２１】
３は前記凾体１の底板で、この底板上にモータ４を設置する。
【００２２】
５は前記モータ４の回転軸で、この回転軸の端面部の一部には偏心軸６を設け、この偏心軸には伝動板７の一端部を枢着８する。
【００２３】
９は前記伝動板７の他端部に一端部を枢着１０した垂直杆で、この垂直杆の上端部には水平杆１１を一体に設け、この水平杆の左右適所には作動杆１２，１２を一体に立設する。
【００２４】
前記水平杆１１は、その左右両側部は前記蓋板２の内側部に設けた軸受１３，１３間に懸架し、自由に作動するようになる。
【００２５】
前記作動杆１２，１２は、前記凾体上面の蓋板２に設けた通孔１４，１４から上方に挿通し、その各先端には球部１５，１５を一体に設ける。この球部の直径は１〜２ｃｍとする。前記通孔１４，１４は作動杆１２，１２が振動する前後方向にやや長く成る。
【００２６】
この作動杆１２，１２上の球部１５，１５の高さは、一方を他方より１ｃｍほど高く構成し、手の場合にはその母指丘を高い球部に当て、小指丘を低い球部に当てるようにする。
【００２７】
１６は前記蓋板２上に適宜載せる指先部分の載せ置き部材であり、これは任意のものである。
【００２８】
図５乃至図６は足用の機器の例であるが、基本的には図１乃至図４に示した手用の機器の例と同一の構成となる。
【００２９】
この足用の場合には、前記水平杆１１に立設する作動杆１２，１２上の球部１５，１５の高さは、小指丘が当たる球部は親指丘が当たる球部より１ｃｍ位高くなる。
【００３０】
また、かかとは母指丘よりも１〜２ｃｍ位低くなるように位置する。
【００３１】
【発明の効果】
本発明は、以上のような構成及び作用から成るものであるから、次のような良い効果を発揮することになるのである。
【００３２】
第１に、手でも足でも、母指丘と小指丘に与える軽微な振動を全身の骨から骨へと伝達することができる。この振動状況は、身体の任意の箇所の筋肉に指先で触れてみればすぐ確認できる。
【００３３】
第２に、骨が軽微に振動することによって、骨の周囲から順に筋肉の緊張が緩むようになる。
【００３４】
第３に、身体の一箇所に与えた振動によって、全身を非常に短時間のうちで緩めることができるから、筋肉疲労を迅速に除去することができる。
【００３５】
第４に、もみ返しのような、望ましくない副作用が起きない。
【００３６】
第５に、毛管現象により、血液の流れがきわめて良好になる。
【００３７】
第６に、骨の振動が内臓にも伝達するから、内臓の調子が良好になる。
【図面の簡単な説明】
【図１】手用の機器の使用時の正断面図
【図２】図１の側断面図
【図３】図１の平断面図
【図４】図１の平面図
【図５】足用の機器の使用時の正断面図
【図６】図５の側断面図
【図７】図５の他例の場合の平面図
【符号の説明】
１　　　　　　　　凾体
２　　　　　　　　蓋板
４　　　　　　　　モータ
５　　　　　　　　モータ回転軸
６　　　　　　　　偏心軸
７　　　　　　　　伝動板
９　　　　　　　　垂直杆
１１　　　　　　　　水平杆
１２，１２　　　　　作動杆
１４，１４　　　　　通孔
１５，１５　　　　　球部
【図１】
2004033612.tif 000003
【図２】
2004033612.tif 000004
【図３】
2004033612.tif 000005
【図４】
2004033612.tif 000006
【図５】
2004033612.tif 000007
【図６】
2004033612.tif 000008
【図７】
2004033612.tif 000009